(57)【要約】【課題】ベルトコンベヤに於けるリターンベルトのリターン押さえローラによる加圧力の調整が、ベルトコンベヤの片側で行うことができるようにする。【解決手段】ベルトコンベヤＡに於けるキャリヤベルトａとリターンベルトａとの空間内に両端をコンベヤフレーム１に取り付けて設けた上側の水平な固定フレーム７と、上記空間内の下側にガイドレール８にスライド自在に係合させて昇降する下側の水平なスライドフレーム９と、スライドフレーム９と固定フレーム７との間でスライドフレーム９の昇降用回動軸２６の末端回動操作部Ｂを片側のコンベヤフレーム１側に位置させたリフトジャッキ装置Ｃと、スライドフレーム９の両端間中央の下面旋回支軸１１に旋回自在に支持した旋回フレーム１２と、旋回フレーム１２に設けたリターンベルトａ押し下げ用の押さえローラ５とからなる構成。【選択図】図１
2018131324.tif 000002
【特許請求の範囲】
【請求項１】
ベルトコンベヤに於けるキャリヤベルトとリターンベルトとの空間内に左右の両端をコンベヤフレームに取り付けて設けた上側の水平な固定フレームと、上記空間内の下側にガイドレールにスライダをスライド自在に係合させて昇降するように設けた下側の水平なスライドフレームと、このスライドフレームと上記固定フレームとの間に設置すると共に、上記スライドフレームの昇降用回動軸の末端回動操作部を片側の上記コンベヤフレーム側に位置させた上記スライドフレームの昇降用リフトジャッキ装置と、上記スライドフレームの両端間中央の下面旋回支軸に両端間の中央を旋回自在に支持した旋回フレームと、この旋回フレームに設けた上記リターンベルトの上面押し下げ用の押さえローラとからなるベルトの蛇行調整装置。
【発明の詳細な説明】
【技術分野】
【０００１】
この発明は、ベルトコンベヤに於けるリターンベルトの蛇行を自動的に調整する装置に関する。
【背景技術】
【０００２】
ベルトコンベヤを操業運転するにあたって、ベルトの蛇行対策は避けられない大きな課題の一つであり、従来より種々の方式の対策が提案されている（例えば、特許文献１参照）。
【０００３】
リターン側ベルトの蛇行が発生した場合、ローラスタンドに軸承してあるリターン側ベルトの上面を押さえ込む押さえローラによる押圧力を調整する方式がある。
この押圧力を調整するには、コンベヤフレームとスタンド支持体との取り付け間にレベル調整プレートを挿入（介在）して行う。
【０００４】
しかしながら、所望の厚みのプレートの選択に著しく手間がかかる問題があり、特にコンベヤフレームの両側に複数の作業員を配置して連携しながら作業を行う関係上、短時間で所望のレベルに調整できない問題があった。
【０００５】
そこで、レベル調整プレートの選択の不都合をなくするために、通常のメーカ標準型調整装置として、添付図面の図８及び図９の方式が採用されている。
【０００６】
この従来の方式（図８及び図９に示す）は、両側のコンベヤフレーム５１から上向きに突出する突出板５２と押さえローラ５７の軸承旋回フレーム５８の支持フレーム５３の両端から下向きに突出する突出板５４との両方に多段の複数の透孔５５を設けて、この合致する透孔５５にボルトとナットとからなる締付具５６を挿入して固定するようにしてある。
【先行技術文献】
【特許文献】
【０００７】
【特許文献１】特開２００８−３０８２５２号公報
【発明の概要】
【発明が解決しようとする課題】
【０００８】
ところで、押さえローラによる押さえ込む力を調整するには、コンベヤフレームの両側に複数の作業員を配置して連携しながら作業を行う関係上、短時間で所望のレベルに調整できない。その要因は、多段の透孔の選択位置調整及び締付具の抜き、差しの手間がかかることによる。
【０００９】
そして、ベルト進行方向に相対する取付部分を左右同時に、かつ微量調整の加減ができない問題もあった。
【００１０】
そこで、この発明は、上述の不都合を短時間で解消できる画期的なベルトの蛇行調整装置を提供することにある。
【課題を解決するための手段】
【００１１】
上記の課題を解決するために、この発明は、ベルトコンベヤに於けるキャリヤベルトとリターンベルトとの空間内に左右の両端をコンベヤフレームに取り付けて設けた上側の水平な固定フレームと、上記空間内の下側にガイドレールにスライダをスライド自在に係合させて昇降するように設けた下側の水平なスライドフレームと、このスライドフレームと上記固定フレームとの間に設置すると共に、上記スライドフレームの昇降用回動軸の末端回動操作部を片側の上記コンベヤフレーム側に位置させた上記スライドフレームの昇降用リフトジャッキ装置と、上記スライドフレームの両端間中央の下面旋回支軸に両端間の中央を旋回自在に支持した旋回フレームと、この旋回フレームに設けた上記リターンベルトの上面押し下げ用の押さえローラとからなる構成を採用する。
【発明の効果】
【００１２】
以上のように、この発明のベルトの蛇行調整装置によれば、リフトジャッキ装置の操作によりスライドフレームと共に旋回フレームを昇降させるようにしてあるので、旋回フレームの押さえローラによるリターンベルトの押さえ力の加減を自由に調整することができる。
【００１３】
そして、リフトジャッキ装置の昇降回動軸の末端回動操作部をコンベヤフレームの片側に位置するようにしてあるので、コンベヤフレーム片側で極めてスムーズに操作できる特有な効果がある。
【図面の簡単な説明】
【００１４】
【図１】この発明の実施形態を示す一部切欠正面図である。
【図２】同上の要部を示す一部切欠拡大正面図である。
【図３】同上の一部切欠拡大正面図である。
【図４】同上の縦断拡大側面図である。
【図５】同縦断拡大側面図である。
【図６】押さえローラの上昇位置を示す一部切欠正面図である。
【図７】押さえローラの降下位置を示す一部切欠正面図である。
【図８】従来例を示す正面図である。
【図９】同上の側面図である。
【発明を実施するための形態】
【００１５】
次に、この発明の実施形態を添付図面に基づいて説明する。
図１に示すＡは、ベルトコンベヤである。
【００１６】
上記のベルトコンベヤＡは、周知のように、ヘッドプーリとテールプーリ（いずれも図示省略）と、このヘッドプーリとテールプーリとの間にかけ渡した無端状のベルトａと、ベルトコンベアＡの両サイドのコンベヤフレーム１に両端を取り付けてキャリヤ側ベルトａの下を横切る並列水平材（図示省略）の両端及び中間からそれぞれ起立する対向スタンド２に中心に貫通する支軸３の両端を不回転状態に支持してトラフ型に配置すると共に、キャリヤ側のベルトａの裏面を支承するキャリヤローラ４と、リターン側のベルトａの裏面の点在位置を押さえ込んで支承する押さえローラ５（この押さえローラ５の支持は、後述する）とで構成されている。
【００１７】
また、図１から図６に示すように、押さえローラ５の配置位置の上方で、ベルトａのキャリヤ側とリターン側との空間上側には、両側のコンベヤフレーム１にブラケット６を介し上側の水平な固定フレーム７の両端を支持する。
【００１８】
さらに、上側の水平な固定フレーム７の両端に上下方向のガイドレール８を設けて、このガイドレール８に固定フレーム７の下側で平行する下側の水平なスライドフレーム９の両端に設けてあるスライダ１０をスライド自在に係合して、固定フレーム７に対しスライドフレーム９が昇降するようになっている。
【００１９】
上記のガイドレール８は、図１、４、６、７に示すように固定フレーム７の両端から下方に突出する突出板１６に上下方向の長孔を設けて、この長孔をガイドレールとしたが限定されず、長孔にかえてレールを設けてもよい。そして、スライダ１０は、図示の場合長孔に貫通する軸材をスライダとしたが、限定されず上下方向に滑走するスライダであってもよい。
【００２０】
要するに、固定フレーム７に対しスライドフレーム９が接近・離反するスライドをガイドするようにしてある。
【００２１】
そして、このスライドフレーム９の下面中央に設置した旋回支軸１１に旋回フレーム１２の上面中央を支持させ、この旋回フレーム１２の下面両端及び中央に設けてある支持金具１３に前述の押さえローラ５のセンタ軸１７を不回転状態に支持させてある。
【００２２】
なお、上記の押さえローラ５は、図示の場合、左右をテーパローラとし、中央部には、オフセットローラを配しているが、この配置、形状には拘らず、左右がストレートローラで中央部にローラのない場合もある。
【００２３】
上記旋回フレーム１２は、図１、６、７に示すように、スライドフレーム９の両端部下面のベルトａの走行方向に沿うレール１４に旋回フレーム１２の両端部上面に軸支してある回転子１５を接触させて、旋回フレーム１２のスムーズな旋回を保障するようになっている。
【００２４】
また、固定フレーム７とスライドフレーム９との間には、手動による回動操作部が片側のコンベヤフレーム１外で操作できると共に、回動操作にともない伸長、収縮してスライドフレーム９の降下により押さえローラ５を介し下方にリターン側ベルトａを押し下げる、すなわち押圧力加減用のリフトジャッキ装置Ｃが設けてある。
【００２５】
上記のリフトジャッキ装置Ｃは、図１、２、３、４、５に示すように、支点軸２１の両端に両端間の中央をＸ字状に交差させた交差部分を支持した前後一対の開閉板２２、２２と、この一対の開閉板２２、２２の図３の上位右端同士を連結する連結板２３と、この連結板２３の両端間の中央に設けた透孔２４と、この透孔２４に貫通して末端の回動操作部Ｂを（図示の場合ハンドル）を片方のコンベヤフレーム１側に位置させた定位置で回動するよう軸承２５した回動軸２６と、この回動軸２６の外周面中途から先端の範囲に設けた雄ネジ２７と、一対の開閉板２２、２２の上位左端同士を連結する連結板２８と、この連結板２８の両端間の中央に設けて上記雄ネジ２７をねじ込んだ雌ネジ２９と、一対の開閉板２２、２２の下位右端をスライドフレーム９に連結する連結軸３０と、一対の開閉板２２、２２の上位左端及び下位左端にそれぞれ設けて下面が開放する溝形材の固定フレーム７内で、上面が開放する溝形材のスライドフレーム９内で滑走するように設けた支軸４１での支持回転子３１（この回転子３１は、図３に示すように固定フレーム７及びスライドフレーム９内にそれぞれ設けた溝形のレール３２内でスムーズな滑走ができるようにしてある）とで構成し、回動操作部Ｂを人手により回動操作することで、雄ネジ２７にねじ込んである雌ネジ２９が図３右方向に移動するにともない一対の開閉板２２、２２が図６の閉じた状態から図３の開いた状態になるにともない、開いた開閉板２２、２２によりスライドフレーム９を降送し、この降送にともない旋回フレーム１２も共に降送される。
【００２６】
その結果、旋回フレーム１２の押さえローラ５によりリターン側ベルトａを下向きに加圧するようになっている。
【００２７】
上記のリフトジャッキ装置Ｃは、図示の構成に限定されず、目的を達成、すなわち、ベルトコンベヤＡの片側で作業員により極めて簡単かつ容易にベルトの加圧力を調整できるようにするものである。
【００２８】
なお、スライドフレーム９に対する旋回支軸１１を介し旋回自在に旋回フレーム１２（押さえローラ５の支持）を設けた要因は、周知のように、リターン側ベルトａの蛇行にともない旋回フレーム１２が旋回し、その後にリターン側ベルトａの蛇行を調整するために、旋回フレーム１２を元の状態に戻すことにあり、その作用は周知につき詳細な説明を省略する。
【符号の説明】
【００２９】
Ａ  ベルトコンベヤ
ａ  ベルト
Ｂ  回動操作部
Ｃ  リフトジャッキ装置
１  コンベヤフレーム
２  スタンド
３  支軸
４  キャリヤローラ
５  押さえローラ
６  ブラケット
７  固定フレーム
８  ガイドレール
９  スライドフレーム
１０  スライダ
１１  旋回支軸
１２  旋回フレーム
１３  支持金具
１４  レール
１５  回転子
１６  突出板
１７  センタ軸
２１  支点軸
２２  開閉板
２３  連結軸
２４  透孔
２５  軸承
２６  回動軸
２７  雄ネジ
２８  連結板
２９  雌ネジ
３０  連結軸
３１  回転子
３２  レール
【図１】
2018131324.tif 000003
【図２】
2018131324.tif 000004
【図３】
2018131324.tif 000005
【図４】
2018131324.tif 000006
【図５】
2018131324.tif 000007
【図６】
2018131324.tif 000008
【図７】
2018131324.tif 000009
【図８】
2018131324.tif 000010
【図９】
2018131324.tif 000011